(57)【要約】【課題】消火栓の放水機能並びに空気弁の多量排気、多量吸気機能および圧力下排気機能のそれぞれの機能を損なうことなく、消火栓と同一口径の空気弁とを一つの弁箱にコンパクトに設置することを可能になしたフロート弁体を備えた分岐接続管を提供すること。【解決手段】配水管２３の管路上に消火栓２１などの強力放水装置を流路接続するとともに、消火栓毎に個別の空気弁２２を流路接続するための分岐接続管１であって、分岐接続管は、弁箱手段２を含むものであり、弁箱手段は、前記配水管と消火栓との間を流路接続する第１の流路６と、前記配水管と空気弁との間を流路接続する第２の流路１０とを形成するものからなり、前記弁箱手段における第１の流路中に、常時、前記第１の流路を開放状態に維持し、管内充水状態時に前記第２の流路を閉塞するフロート弁体１５を設けたことを特徴とするフロート弁体を備えた分岐接続管。【選択図】図１
2005176893.tif 000002
【特許請求の範囲】
【請求項１】
配水管の管路上に消火栓などの強力放水装置を流路接続するとともに、消火栓毎に個別の空気弁を流路接続するための分岐接続管であって、前記分岐接続管は、弁箱手段を含むものであり、前記弁箱手段は、前記配水管と消火栓との間を流路接続する第１の流路と、前記配水管と空気弁との間を流路接続する第２の流路とを形成するものからなり、前記弁箱手段における第１の流路中に、常時、前記第１の流路を開放状態に維持し、管内充水状態時に前記第２の流路を閉塞するフロート弁体を設けたことを特徴とするフロート弁体を備えた分岐接続管。
【請求項２】
前記フロート弁体が、前記第１の流路に交差する方向に沿って横たわり、前記第１の流路の流路方向に沿って下位点と上位点との間で移動可能にガイドされていて、前記上位点において前記第２の流路を閉塞するものからなることを特徴とする請求項１に記載のフロート弁体を備えた分岐接続管。
【請求項３】
前記第２の流路は、前記第１の流路の廻りに環状に形成される環状溝流路を含むものからなり、前記第１の流路並びに前記環状溝流路は、該流路に交差する共通する流路弁座面を備えており、前記フロート弁体が、ディスク状リング部材からなっていて、前記上位点において前記共通する流路弁座面に当接して、前記第２の流路を閉塞するものからなることを特徴とする請求項１または請求項２に記載のフロート弁体を備えた分岐接続管。
【請求項４】
前記フロート弁体は、該フロート弁体が第２の流路を閉塞した状態においても、前記第２の流路側に接続される空気弁の圧力下排気機能を妨げることがないように少なくとも一つの空気通過小孔を設けたことを特徴とする請求項１〜請求項３のいずれかに記載のフロート弁体を備えた分岐接続管。
【発明の詳細な説明】
【技術分野】
【０００１】
この発明は、消火栓の放水機能並びに空気弁の多量排気、多量吸気機能および圧力下排気機能のそれぞれの機能を損なうことなく、消火栓と同一口径の空気弁とを一つの弁箱にコンパクトに設置することを可能になしたフロート弁体を備えた分岐接続管に関するものである。
【背景技術】
【０００２】
周知のように、従来、消火栓と空気弁とを、それぞれ対応させて設置する場合、特許文献１のもののように、消火栓１００の下部に設置された補修弁１０に一体的に取り付けられた分岐管部分２２に空気弁２０を接続する構成のもの、あるいは、図５に示す空気弁付き消火栓３０のように、消火栓３１の弁箱３５に対して一体的に形成されている分岐管部分３６を介して空気弁３２を接続するように構成したものなどとして知られていた。図５に示す例において、参照符号３７は、弁箱３５内の弁体３８を開閉操作するための開閉栓機構を示すものである。
【０００３】
上記するように、消火栓３１に対して同一弁室内に設置する空気弁３２の場合、他の製品から張り出した分岐管部分３６に接続されているため空気弁自体の口径が小さくなり（通常、２５ｍｍ以下）、空気弁としての多量排気機能並びに多量吸気機能に制約が生じてしまうものであった。
【０００４】
一方また、管路を直接分岐して消火栓の直近に大口径の空気弁を設置した場合、消火栓の口金部に消防車などのポンプを接続し、消火栓の吐出量以上の吸い上げを行うと、空気弁による多量吸気機能が行われ、過度の空気が管内に流入し、消火栓を通じてポンプ内に入り込みポンプの空転が起き、消火活動に支障を来す恐れがあった。
【０００５】
【特許文献１】実用新案登録第３０５２００６号公報（要約、図１）
【発明の開示】
【発明が解決しようとする課題】
【０００６】
そこで、この発明では、上記する従来技術の問題点を解消すべくなしたものであって、特に重要な要素は、部品点数が少なく、極めて簡単な構造でなり、多量生産にも適合し、経済的にも極めて有利であるフロート弁体を備えた分岐接続管を提供するものであり、且つ、消火栓の放水機能並びに空気弁の多量排気、多量吸気機能および圧力下排気機能のそれぞれの機能を損なうことなく、消火栓と同一口径の空気弁とを一つの弁箱にコンパクトに設置することを可能になしたフロート弁体を備えた分岐接続管を提供するものである。
【課題を解決するための手段】
【０００７】
この発明は、上記する目的を達成するにあたって、請求項１に記載の発明は、配水管の管路上に消火栓などの強力放水装置を流路接続するとともに、消火栓毎に個別の空気弁を流路接続するための分岐接続管であって、前記分岐接続管は、弁箱手段を含むものであり、前記弁箱手段は、前記配水管と消火栓との間を流路接続する第１の流路と、前記配水管と空気弁との間を流路接続する第２の流路とを形成するものからなり、前記弁箱手段における第１の流路中に、常時、前記第１の流路を開放状態に維持し、管内充水状態時に前記第２の流路を閉塞するフロート弁体を設けたことを特徴とするフロート弁体を備えた分岐接続管を構成するものである。
【０００８】
さらに、この発明において請求項２に記載の発明は、請求項１に記載のフロート弁体を備えた分岐接続管であって、前記フロート弁体が、前記第１の流路に交差する方向に沿って横たわり、前記第１の流路の流路方向に沿って下位点と上位点との間で移動可能にガイドされていて、前記上位点において前記第２の流路を閉塞するものからなることを特徴とするものである。
【０００９】
さらにまた、この発明において請求項３に記載の発明は、請求項１あるいは請求項２に記載のフロート弁体を備えた分岐接続管であって、前記第２の流路は、前記第１の流路の廻りに環状に形成される環状溝流路を含むものからなり、前記第１の流路並びに前記環状溝流路は、該流路に交差する共通する流路弁座面を備えており、前記フロート弁体が、ディスク状リング部材からなっていて、前記上位点において前記共通する流路弁座面に当接して、前記第２の流路を閉塞するものからなることを特徴とするものである。
【００１０】
さらにまた、この発明において請求項４に記載の発明は、請求項１〜請求項３のいずれかに記載のフロート弁体を備えた分岐接続管であって、前記フロート弁体は、該フロート弁体が第２の流路を閉塞した状態においても、前記第２の流路側に接続される空気弁の圧力下排気機能を妨げることがないように少なくとも一つの空気通過小孔を設けたことを特徴とするものである。
【発明の効果】
【００１１】
この発明になるフロート弁体を備えた分岐接続管によれば、まず第１に、部品点数が少なく、極めて簡単な構造でなっており、多量生産にも適合し得るものとして、経済的にも極めて有利に作用するものといえる。さらにまた、この発明になるフロート弁体を備えた分岐接続管は、消火栓の放水機能、並びに、空気弁の多量排気機能、多量吸気機能および圧力下排気機能のそれぞれの機能を損なうことなく、消火栓と同口径の空気弁を同一弁室内にコンパクトに設置することを可能にするものであって、さらに加えて、フロート弁体による第２の流路の閉塞によって、消火栓開放時に管路内の水に混入した異物などが第２の流路に接続された空気弁に入り込むのを防止し、空気弁の異物噛み込みによる作動不良防止に極めて有効に作用するものといえる。
【００１２】
さらにまた、この発明になるフロート弁体を備えた分岐接続管によれば、消火栓の吐出量以上の吸い上げを行った場合においても、フロート弁体の浮力および水の流速によってフロートが第２の流路を閉塞した状態を維持することによって、空気弁側通路が遮断された状態を保持し、消火栓側管路に空気が流入するのを防ぐことができ、ポンプによる吸い上げに支障をきたさないという点においても極めて有効に作用するものといえる。
【発明を実施するための最良の形態】
【００１３】
以下、この発明になるフロート弁体を備えた分岐接続管について、図面に示す具体的な実施例に基づいて詳細に説明する。図１は、この発明になるフロート弁体を備えた分岐接続管を用いて、消火栓と空気弁とを配水管に設置する具体的な構成例を一部を断面にして示す概略的な側面図であり、図２は、この発明になるフロート弁体を備えた分岐接続管の作動態様を示すものであって、管路内が無水状態時の態様を示す概略的な断面図であり、図３は、管路内が充水（満水）状態時の態様を示す概略的な断面図である。図４は、当該分岐接続管内に配設されるフロート弁体の具体的な実施例を示すものであって、図４Ａは、複数個の空気通過小孔を備えたフロート弁体の概略的な斜視図、図４Ｂは、一つの空気通過小孔でなるフロート弁体の概略的な斜視図である。
【００１４】
この発明になるフロート弁体を備えた分岐接続管１は、消火栓などの強力放水装置２１を、配水管２３の管路上に、例えば、補修弁装置２４（図１において補修弁装置は概略的にブロック図として図示してある）を介して流路接続するとともに、該消火栓２１毎に個別の空気弁２２を流路接続する際に用いられるものであって、単一部材として構成されるものである。
【００１５】
この分岐接続管１は、弁箱手段２によって構成されており、前記弁箱手段２は、弁箱本体３と、この弁箱本体３内に後述するフロート弁体のための収容室４を規制する規制部材５とを含むものからなっている。前記弁箱手段２における前記弁箱本体３には、鉛直方向に貫通する第１の流路６が設けられている。前記第１の流路６は、下端側流入口７と上端側流出口８とを有しており、前記下端側流入口７側が、例えば、前記補修弁装置２４を介して配水管２３の管路上に流路接続されており、前記上端側流出口８側には、前記消火栓２１が流路接続されるようになっている。前記規制部材５に対しても第１の流路６に匹敵する流路孔９が設けてある。
【００１６】
さらに、前記弁箱手段２における前記弁箱本体３には、前記配水管２３と空気弁２２との間を流路接続する第２の流路１０が設けられている。前記第２の流路１０は、下端側流入口１１と上端側流出口１２とを有しており、上端側流出口１２側に空気弁２２が流路接続されるようになっている。この発明において、前記第２の流路１０における下端側流入口１１は、前記第１の流路６の廻りに環状に形成される環状溝流路１３を含むものからなっており、前記第１の流路６並びに前記環状溝流路１３は、これらの流路に交差する共通する流路弁座面１４において開口するものからなっている。
【００１７】
一方また、この発明において、フロート弁体１５は、比重が１未満の材料からなるものであり、前記第１の流路６に匹敵する流路孔１６を有するディスク状のリング部材によって構成されている。前記フロート弁体１５は、前記第１の流路６に交差する方向に沿って収容室４内に横たわり、前記第１の流路６の流路方向に沿って下位点Ｐ１ と上位点Ｐ２ との間で移動可能にガイドされている。前記フロート弁体１５は、前記上位点Ｐ２ において前記共通する流路弁座面１４に当接して、前記第２の流路１０を閉塞するものからなっている。
【００１８】
前記フロート弁体１５には、該フロート弁体１５が第２の流路１０を閉塞した状態においても、前記第２の流路１０側に接続される空気弁２２の圧力下排気機能を妨げることがないようにするため、図４各図に示すように、少なくとも一つの空気通過小孔１７が設けてある。この空気通過小孔１７は、貫通孔であり、前記環状溝流路１３に対応する部位に対し、例えば、図４Ａに示すもののように複数個設けたものであってもよいし、あるいは、図４Ｂに示すもののように１個だけ設けたものであってもよい。
【図面の簡単な説明】
【００１９】
【図１】図１は、この発明になるフロート弁体を備えた分岐接続管を用いて、消火栓と空気弁とを配水管に設置する具体的な構成例を一部を断面にして示す概略的な側面図である。
【図２】図２は、この発明になるフロート弁体を備えた分岐接続管の作動態様を示すものであって、管路内が無水状態時の態様を示す概略的な断面図である。
【図３】図３は、管路内が充水（満水）状態時の態様を示す概略的な断面図である。
【図４】図４は、当該分岐接続管内に配設されるフロート弁体の具体的な実施例を示すものであって、図４Ａは、複数個の空気通過小孔を備えたフロート弁体の概略的な斜視図、図４Ｂは、一つの空気通過小孔でなるフロート弁体の概略的な斜視図である。
【図５】図５は、従来の空気弁付き消火栓の構成例を示す概略的な側面図である。
【符号の説明】
【００２０】
１  フロート弁体を備えた分岐接続管
２  弁箱手段
３  弁箱本体
４  フロート弁体のための収容室
５  規制部材
６  第１の流路
７  第１の流路の下端側流入口
８  第１の流路の上端側流出口
９  規制部材の流路孔
１０  第２の流路
１１  第２の流路の下端側流入口
１２  第２の流路の上端側流出口
１３  環状溝流路
１４  流路弁座面
１５  フロート弁体
１６  フロート弁体の流路孔
１７  空気通過小孔
Ｐ１   下位点
Ｐ２   上位点
２１  消火栓などの強力放水装置
２２  空気弁
２３  配水管
２４  補修弁装置
【図１】
2005176893.tif 000003
【図２】
2005176893.tif 000004
【図３】
2005176893.tif 000005
【図４】
2005176893.tif 000006
【図５】
2005176893.tif 000007